(57)【要約】【課題】操作パネルをスムーズにかつ容易に取り付けることが可能な可倒式操作パネルの装着構造を提供する。【解決手段】操作パネル３を機器本体１に回動可能に装着し、操作パネル３をその背面を押圧して回動させるレバー４を機器本体に設け、さらに操作パネル３を機器本体に着脱可能とした車載用音響機器において、操作パネル３の背面に前記レバーにより押圧される部分３ａに沿ってその外側にリブ３ｂを設けた。【選択図】　　　　図１
2004142497.tif 000002
【特許請求の範囲】
【請求項１】
操作パネルを機器本体に回動可能に装着し、前記操作パネルをその背面を押圧して回動させるレバーを機器本体に設け、さらに前記操作パネルを機器本体に着脱可能とした車載用音響機器において、前記操作パネルの背面に前記レバーにより押圧される部分に沿ってその外側にリブを設けたことを特徴とする可倒式操作パネルの装着構造。
【請求項２】
前記操作パネルのリブに前記操作パネルを機器本体から取り外すときに前記レバーを通過させる切り欠きを設けた請求項１の可倒式操作パネルの装着構造。
【発明の詳細な説明】
【０００１】
【発明の属する技術分野】
この発明は操作パネルを着脱可能とした車載用音響機器に係わり、特に、操作パネルの装着構造に関する。
【０００２】
【従来の技術】
車載用音響機器の操作パネルは、記録媒体挿入口を開放するために可倒式とし、さらに盗難を防止するために取り外し可能とするものがある。そのような従来の可倒式操作パネル着脱構造の例を図４〜図６により説明する。図４に示す機器本体１の前方に取付けられたサブパネル２の左右にアーム５、５（図では左側のもののみ示している）が固定されており、アーム５、５には夫々軸（図では見えていない）が立設されている。
【０００３】
操作パネル１０の左右側面には軸受（図では見えていない）が可動状態に埋め込まれ、圧縮コイルばねにより突出方向に付勢されている。この軸受がアーム５、５の軸と嵌合し操作パネル１０は回動自在に支持される。操作パネル１０が回動自在に支持された状態で上方に回動されると、図示していないロック機構によりロックされ、サブパネル２の前面を覆い使用状態となる。前記ロック機構のロックを解除すると、レバー４により操作パネル１０はその背面１０ａを押されて前方に倒される。なお、レバー４は図５に示すように本体側に回動自在に支持されており、ばねで突出方向に付勢されている。
【０００４】
操作パネル１０を取り外すときは、操作パネル１０を倒した状態で手前に引張ると、前記軸受がアーム５、５の軸に押され圧縮コイルばねの弾力に抗して操作パネル３の凹みの奥に移動し、軸受から軸が外れて操作パネル１０を機器本体１から離すことができる。
【０００５】
特開平１１−１２６４６９号公報に提案された可倒式操作パネルの装着構造では上記従来例のアーム５が回動自在に支持され、その軸が操作パネルの軸受けの凹みに突入する方向にばねで付勢されており、操作パネルを傾動させるレバーはサブパネルから直線状に出入する。
【０００６】
【特許文献１】
特開平１１−１２６４６９号公報（第４頁、図２、図６）
【０００７】
【発明が解決しようとする課題】
上記した従来のパネル可倒式操作パネルの装着構造では図５に示すように、操作パネル１０が回動した状態をスイッチ１１で検出させ、また、操作パネル１０をスムーズに回動させるように、一般的にレバー４がサブパネル２から大きく突出するように構成されている。
【０００８】
このようにレバー４がサブパネル２から大きく突出した状態で図６に示すように、操作パネル１０を機器本体１に取り付ける場合、操作パネル１０の一方をアームの軸に係合させて操作パネル１０を白矢印で示す方向に押し込むが、このとき操作パネル１０は機器本体１に対して傾斜した状態でレバー４を押すので、レバー４は黒矢印で示す方向に押され実線で示す位置から２点鎖線で示す位置に移動され、レバー４がロック状態となり取り付けが困難となることがあった。あるいは、レバー４が変形したり破損する恐れがあった。
【０００９】
この発明は上記した点に鑑みてなされたものであって、その目的とするところは、操作パネルをスムーズにかつ容易に取り付けることが可能な可倒式操作パネルの装着構造を提供することにある。
【００１０】
【課題を解決するための手段】
この発明の可倒式操作パネルの装着構造は、操作パネルを機器本体に回動可能に装着し、前記操作パネルをその背面を押圧して回動させるレバーを機器本体に設け、さらに前記操作パネルを機器本体に着脱可能とした車載用音響機器において、前記操作パネルの背面に前記レバーにより押圧される部分に沿ってその外側にリブを設けたものである。
【００１１】
また、前記可倒式操作パネルの装着構造において、前記操作パネルのリブに前記操作パネルを機器本体から取り外すときに前記レバーを通過させる切り欠きを設けたものである。
【００１２】
【発明の実施の形態】
この発明の実施例を図面に基づいて説明する。図１〜図３にこの発明の実施例である可倒式操作パネルの装着構造を示す。図に示す操作パネル３は従来例で説明した操作パネル１０と同様に機器本体１の前方に取付けられたサブパネル２の左右に設けられたアーム（図１では図示していない）に設けられた軸に回動可能かつ着脱自在に支持され、レバー４に押されて傾動する。
【００１３】
実施例の操作パネル３ではレバー４に押される押圧部３ａに沿ってその外側にリブ３ｂが設けられている。また、リブ３ｂの一部に切り欠き３ｃが設けられている。
【００１４】
図１に示すように、操作パネル３を機器本体１に取り付ける場合、操作パネル３の一方をアームの軸に係合させて操作パネル３を白矢印で示す方向に押し込むが、このとき操作パネル３は機器本体１に対して傾斜した状態でレバー４を押すので、レバー４は黒矢印で示す方向に押される。
【００１５】
このとき、レバー４の先端と操作パネル３は圧接状態にあるので、レバー４の先端はリブ３ｂに係止され、レバー４の先端の変位が押さえられる。そして、レバー４は操作パネル３に対して図２の実線で示す位置から２点鎖線で示す位置にスムーズに相対移動し操作パネル３を容易に装着することができる。
【００１６】
操作パネル３を外すときは、図３に示すように操作パネル３を倒すことにより、リブ３ｂの切り欠き３ｃの位置にレバー４の先端を合わせる。さらに、操作パネル３を白矢印で示す方向に引き抜くとレバー４の先端は欠き３ｃを通り押圧部３ａから外れ操作パネル３を容易に取り外すことができる。
【００１７】
【発明の効果】
この発明の可倒式操作パネルの装着構造によれば、操作パネルを傾動させるレバーを無理に変形させることがなく、操作パネルを本体に容易に装着できる。また、操作パネルのリブに切り欠きを設けたものは操作パネルを本体から容易に取り外すことがてきる。
【図面の簡単な説明】
【図１】この発明の実施例である可倒式操作パネルの装着構造の部分を示す平面図である。
【図２】同可倒式操作パネルの装着構造の部分を示す斜視図である。
【図３】同可倒式操作パネルの装着構造を他の方向から見た部分斜視図である。
【図４】従来の可倒式操作パネルの装着構造を示す斜視図である。
【図５】同可倒式操作パネルの装着構造を示す側面図である。
【図６】同可倒式操作パネルの装着構造を示す部分平面図である。
【符号の説明】
１　機器本体
２　サブパネル
３　操作パネル、３ａ　押圧部、３ｂ　リブ、３ｃ　切り欠き
４　レバー
５　アーム
１０　操作パネル、１０ａ　背面
１１　スイッチ
【図１】
2004142497.tif 000003
【図２】
2004142497.tif 000004
【図３】
2004142497.tif 000005
【図４】
2004142497.tif 000006
【図５】
2004142497.tif 000007
【図６】
2004142497.tif 000008